(57)【要約】      （修正有）【課題】流体の処理の履歴を管理することができる履歴管理方法および装置を提供する。【解決手段】移送履歴には、流体を他のプラント機器に払い出す払出設備、この払出設備から払い出された流体を受け入れる受入設備、払出設備から受入設備への流体の移送を開始した時刻に関する移送開始時刻、払出設備から受入設備への流体の移送を終了した時刻に関する移送終了時刻などが記録される。このような移送履歴に基づいて、移送イメージが作成される。この移送イメージは、流体を払い出す払出設備と、この払出設備から払い出された流体を受け入れる受入設備との間の流体の移送履歴を、縦軸が払出設備と移送先設備との対応関係、横軸が時間を示すグラフで２次元的に可視化したものである。【選択図】  図３
2005293185.tif 000002
【特許請求の範囲】
【請求項１】
設備を構成する要素間を移送される流体の処理の履歴を管理する履歴管理方法であって、
第１の要素から第２の要素へ前記流体の移送を開始した時刻および終了した時刻を前記第１および第２の要素と関連づけた移送履歴を記録する
ことを特徴とする履歴管理方法。
【請求項２】
前記第１の要素と前記第２の要素との対応と、前記第１の要素から前記第２の要素へ前記流体の移送が行われた時間との関連を前記移送履歴に基づいて可視化表示する
ことを特徴とする請求項１記載の履歴管理方法。
【請求項３】
前記要素は、プロセス機器とラインから構成され、
前記プロセス機器間の流体の移送は、少なくとも１つの前記ラインを介して行われる
ことを特徴とする請求項１または２記載の履歴管理方法。
【請求項４】
設備を構成する要素間を移送される流体の処理の履歴を管理する履歴管理装置であって、
第１の要素から第２の要素へ前記流体の移送を開始した時刻および終了した時刻を前記第１および第２の要素と関連づけた移送履歴を記録する記録手段を有する
ことを特徴とする履歴管理装置。
【請求項５】
前記第１の要素と前記第２の要素との対応と、前記第１の要素から前記第２の要素へ前記流体の移送が行われた時間との関連を前記移送履歴に基づいて可視化表示する表示手段をさらに有する
ことを特徴とする請求項４記載の履歴管理装置。
【請求項６】
前記要素は、プロセス機器とラインから構成され、
前記プロセス機器間の流体の移送は、少なくとも１つの前記ラインを介して行われる
ことを特徴とする請求項４または５記載の履歴管理装置。
【発明の詳細な説明】
【技術分野】
【０００１】
本発明は、複数の装置により処理が行われる設備において、その処理の履歴を管理する方法および装置に関するものである。
【背景技術】
【０００２】
従来、飲食品等の生産工程では、最終工程を終えた製品に異常が検出されると、各製品に付与されたトレース情報に基づいて、その異常の原因を特定している。このトレース情報は、製品単体またはロットを処理した装置に関する装置情報、処理を行った時間等に関する時間情報、ロット番号などのＩＤから構成されている。
【０００３】
このようなトレース情報を生成する方法には、原材料のロットをキーに製造プロセスの入り口から出口までの流れを記録していく方法や、原材料のロットに対して材料が混じり合う度に中間ロットを生成し、この中間ロットの構成の履歴を記録していく方法などが挙げられる（例えば、特許文献１，２参照。）。
なお、出願人は、本明細書に記載した先行技術文献情報で特定される先行技術文献以外には、本発明に関連する先行技術文献を出願時までに発見するには至らなかった。
【特許文献１】特許第３３５５３６６号公報
【特許文献２】特開２００２−４９６６０号公報
【発明の開示】
【発明が解決しようとする課題】
【０００４】
しかしながら、従来の方法は、原材料や製品または中間ロットが固体等の独立して認識できる形態を有し、ＩＤを付与することを前提としている。したがって、原材料や製品等が気体や液体などの流体の場合には、決まった形がなく、分量が連続的に変化するので、ＩＤを付与することが困難である。
仮に、何らかの形でＩＤを付与できたとしても、原材料のロットをキーにして製造プロセスの入り口から出口までの流れを記録する方法では、複数の原材料が混じり合った状態のロットに対してそのロット含まれる全ての原材料のＩＤの記録を行わなければならない。したがって、その記録作業が煩雑になってしまう。
また、中間ロットにＩＤを付与できたとしても、例えば計画段階になかった新たな工程を追加するといった処理工程の変更が生じると、この変更した工程より下流の中間ロットのデータを全て作り直さなければならなくなる。この修正作業は、とても複雑なため現実的ではない。その上、この修正作業はマニュアルで行われるので、修正し忘れる可能性があり、ロット情報の信頼性が損なわれてしまう恐れがある。
このように、従来では、流体の処理の履歴を管理することが困難であった。
そこで、本発明は上述したような課題を解決するためになされたものであり、流体の処理の履歴を管理することができる履歴管理方法および装置を提供することを目的とする。
【課題を解決するための手段】
【０００５】
上述したような課題を解決するために、本発明にかかる履歴管理方法は、設備を構成する要素間を移送される流体の処理の履歴を管理する履歴管理方法であって、第１の要素から第２の要素へ流体の移送を開始した時刻および終了した時刻を第１および第２の要素と関連づけた移送履歴を記録することを特徴とする。
【０００６】
上記履歴管理方法において、第１の要素と第２の要素との対応と、第１の要素から第２の要素へ流体の移送が行われた時間との関連を移送履歴に基づいて可視化表示するようにしてもよい。
【０００７】
また、上記履歴管理方法において、要素は、プロセス機器とラインから構成され、プロセス機器間の流体の移送は、少なくとも１つのラインを介して行われるようにしてもよい。
【０００８】
また、本発明にかかる履歴管理装置は、設備を構成する要素間を移送される流体の処理の履歴を管理する履歴管理装置であって、第１の要素から第２の要素へ流体の移送を開始した時刻および終了した時刻を第１および第２の要素と関連づけた移送履歴を記録する記録手段を有するようにしてもよい。
【０００９】
上記履歴管理装置において、第１の要素と第２の要素との対応と、第１の要素から第２の要素へ流体の移送が行われた時間との関連を移送履歴に基づいて可視化表示する表示手段をさらに有するようにしてもよい。
【００１０】
上記履歴管理装置において、要素は、プロセス機器とラインから構成され、プロセス機器間の流体の移送は、少なくとも１つのラインを介して行われるようにしてもよい。
【発明の効果】
【００１１】
本発明によれば、第１の要素から第２の要素へ任意の流体の移送を開始した時刻および終了した時刻を第１および第２の要素と関連づけた移送履歴を記録することにより、ＩＤを付与することが困難な流体であっても、その処理の履歴を管理することができる。
また、本発明によれば、第１の要素と第２の要素との対応と、第１の要素から第２の要素へ流体の移送が行われた時間との関連を可視化表示することにより、流体のようなＩＤを付与することが困難なものでも、どのような処理工程を経ているのかを容易に識別可能となる。
さらに、本発明によれば、要素としてプロセス機器のみならずラインも採用し、プロセス機器間の流体の移送が少なくとも１つのラインを介して行われるようにすることにより、流体の処理の履歴を管理することが可能となる。
【発明を実施するための最良の形態】
【００１２】
以下、図面を参照して、本発明の実施の形態について詳細に説明する。
図１は、本発明の履歴管理方法が使用される履歴管理システムの構成を示す図である。
履歴管理システム１は、履歴管理システム１全体の動作を管理する管理装置１０と、履歴管理システム１の動作を記録するサーバ２０と、履歴管理システム１が適用されたプラントにおいて製品製造のための各処理を行うタンクやパイプなどの構成要素の信号を取り込むコントローラ３０とを有し、それぞれは公知の通信回線４０によって接続されている。
【００１３】
管理装置１０は、CPU、メモリやハードディスク等の記憶装置、LCD(Liquid Crystal Display)やCRT(Cathode Ray Tube)等の表示装置、キーボードやマウス等の入力装置等を有する公知のコンピュータ等からなり、通信回線４０を介して接続されたサーバ２０およびコントローラ３０を含むプラントが有する各構成要素と制御信号の送受信を行うことにより、履歴管理システム１が適用されたプラント全体の動作管理を行う。また、サーバ２０に記憶された移送履歴に基づいて移送イメージを作成する。この作成した移送イメージは、表示装置に表示するようにしてもよい。
【００１４】
サーバ２０は、CPU、メモリやハードディスク等の記憶装置、LCDやCRT等の表示装置、キーボードやマウス等の入力装置等を有する公知のコンピュータ等からなり、管理装置１０の制御信号に基づいて、履歴管理システム１が適用されたプラントの各要素の信号を取り込むコントローラ３０から受信するプラントの各要素間を移送された流体に関する移送情報に基づいて移送履歴を作成し、記憶する。
【００１５】
コントローラ３０は、履歴管理システム１が適用されたプラントの各要素の信号を取り込み、他の要素から移送されてきた流体の受け入れ開始時刻および終了時刻、または、他の要素へ移送する流体の払い出し開始時刻および終了時刻等に関する情報（以下、移送情報という）を、通信回線４０を介してサーバ２０へ送出する。例えば、コントローラ３０には、タンクから流体を外部に払い出すポンプの信号が取り込まれ、このポンプの駆動を開始した時刻および駆動を終了した時刻を移送情報としてサーバ２０へ送出する。
なお、コントローラ３０には、全ての要素の信号が取り込まれていなくてもよい。コントローラ３０に信号が取り込まれていない要素では、移送情報をユーザの手入力でサーバ２０に記録するようにしてもよい。この移送情報のサーバ２０への記録は、管理装置１０を介して行う、すなわちユーザが管理装置１０の入力装置を操作することで行うようにしてもよい。
【００１６】
次に、本実施の形態にかかる履歴管理システム１において使用される履歴管理方法について説明する。本実施の形態にかかる履歴管理システム１は、例えば乳製品製造プラントなどの飲食品の製造設備に適用することができる。
ここで、流体や固体等のものの移動を把握する際、プラント等の設備をモデル化すると、その移動がわかりやすくなる。設備を後述する図２に示すようにモデル化したものを設備モデルと言う。ここで、設備を構成する要素は、大きくプロセス機器とラインとに分類することができる。
プロセス機器とは、例えば乳製品製造プラントにおいては、タンク、調整乳タンク、中継点、一時容器、バッファタンク、ミックスタンク、端点等の流体の移動の出発点と終着点として認識できる要素を意味する。
ラインとは、プロセス機器とプロセス機器とを結ぶパイプ等の要素を意味する。
【００１７】
図２は、設備モデルの１構成例を示す模式図、図３は、図２の設備モデルの移送履歴の模式図、図４は、図２の設備モデルの移送イメージの模式図である。
図２に示す設備モデルは、タンクＴ１とタンクＴ２とがラインＬ１で接続された設備をモデル化したものである。
本実施の形態にかかる履歴管理システム１では、プロセス機器からプロセス機器への流体の移送は、必ずラインを経由して行われるものとする。したがって、例えば図２の場合、タンクＴ１からタンクＴ２への流体の移送は、タンクＴ１とタンクＴ２との間に存在するラインＬ１を経由して行われ、タンクＴ１からラインＬ１（図２中の矢印ａ）、ラインＬ１からタンクＴ２（図２中の矢印ｂ）へという形で流体が移送されると捉える。
【００１８】
図２に示すようにモデル化された設備で流体の移送が行われた場合、この移送履歴は図３に示すように記録される。図３に示すように、移送履歴には、流体を他のプラント機器に払い出す払出設備、この払出設備から払い出された流体を受け入れる受入設備、払出設備から受入設備への流体の移送を開始した時刻に関する移送開始時刻、払出設備から受入設備への流体の移送を終了した時刻に関する移送終了時刻などが記録される。
【００１９】
図２の設備モデルにおいて、タンクＴ１のポンプを、１０時１０分に駆動を開始し、１０時３０分に駆動を終了したとする。すると、図３に示すように、払出設備Ｔ１、受入設備Ｌ１および払出設備Ｌ１、受入設備Ｔ２の移送開始時刻および移送終了時刻がそれぞれ１０時１０分および１０時３０分と記録される。
【００２０】
このような移送履歴は、サーバ２０により、コントローラ３０から受信する移送情報に基づいて作成され、記憶される。例えば、図２において、タンクＴ１およびタンクＴ２とラインＬ１とを中継するバルブを開放し、タンクＴ１から流体を払い出すポンプを駆動することによりタンクＴ１からラインＬ１およびラインＬ１からタンクＴ２へ流体の払い出しが制御される場合、タンクＴ１の流体を払い出すポンプの信号を取り込むコントローラ３０は、そのポンプが駆動を開始した時刻および終了した時刻を移送情報としてサーバ２０に送信する。サーバ２０は、その移送情報に基づきポンプが駆動を開始した時刻と駆動を終了した時刻をそれぞれ移送開始時刻と移送終了時刻として記録する。
【００２１】
なお、移送情報は、上述したようにユーザの手入力によりサーバ２０に記録するようにしてもよい。これにより、計画段階で予定されていない製造工程を追加や変更をする場合でも、これに適宜対応することが可能となる。また、コントローラ３０に全ての要素の信号が取り込まれてはいない場合でも、ポンプの駆動を開始した時刻と終了した時刻のみを記録するだけという非常に簡単な作業だけで移送履歴を作成することが可能となる。
【００２２】
図２に示す設備モデルに対応する設備で流体の移送が行われると、管理装置１０は、図３の移送履歴に基づいて図４に示すような移送イメージを作成し、管理装置１０の表示装置に表示するとともに管理装置１０の記憶装置に記録する。
図４に示す移送イメージは、流体を払い出す払出設備と、この払出設備から払い出された流体を受け入れる受入設備との間の流体の移送履歴を、縦軸が払出設備と移送先設備との対応関係、横軸が時間を示すグラフで２次元的に可視化したものである。このような移送イメージは、管理装置１０のハードウェア資源とソフトウェアが協働することにより作成される。
なお、この管理装置１０により作成された移送イメージは、サーバ２０に記録するようにしてもよい。
【００２３】
ここで、図２中の矢印ａで示すタンクＴ１からラインＬ１への流体の移送は、図４中の範囲ａに対応する。同様に、図２中の矢印ｂで示すラインＬ１からタンクＴ２への流体の移送は、図４中の範囲ｂに対応する。
図４において、タンクＴ１は、１０時１０分からラインＬ１への流体の払い出しを開始し、１０時３０分にラインＬ１への流体の払い出しを終了したことを意味する。
ラインＬ１は、１０時１０分からタンクＴ１から払い出された流体の受け入れを開始し、１０時３０分にタンクＴ１から払い出された流体の受け入れを終了したことを意味する。また、ラインＬ１は、１０時１０分からタンクＴ２への流体の払い出しを開始し、１０時３０分にタンクＴ２への流体の払い出しを終了したことを意味する。
タンクＴ２は、１０時１０分からラインＬ１から払い出された流体の受け入れを開始し、１０時３０分にラインＬ１から払い出された流体の受け入れを終了したことを意味する。
したがって、図４からは、１０時１０分から１０時３０分までタンクＴ１から払い出された流体は、ラインＬ１を経由して、タンクＴ２へ移送されたことがわかる。
【００２４】
このように本実施の形態にかかる履歴管理方法および装置によれば、移送開始時刻と移送終了時刻と関連づけて記録することにより、ＩＤを付与することが困難な流体であっても、ＩＤを付与することなく、その処理の履歴を管理することができる。
また、本実施の形態によれば、移送イメージを移送履歴に基づいて作成して表示することにより、流体のようなＩＤを付与することが困難なものでも、ＩＤを付与することなく、どのような処理を経ているのかが容易に識別可能となる。
【００２５】
また、本実施の形態によれば、要素としてプロセス機器のみならずラインも採用し、プロセス機器間の流体の移送が少なくとも１つのラインを介して行われるようにすることにより、流体の処理の履歴をより正確に管理することが可能となる。
【００２６】
複数のラインを経由してプロセス機器からプロセス機器へ流体を移送する場合は、次のように移送イメージが作成される。図５は、複数のラインを経由して流体の移送を行う設備をモデル化した模式図、図６は、図５の設備モデルの移送履歴の模式図、図７は、図５の設備モデルの移送イメージの模式図である。
図５に示す設備モデルは、タンクＴ１とタンクＴ２とに接続されたラインＬ１が、タンクＴ１１とタンクＴ１２に接続されたラインＬ１０およびタンクＴ２１とタンクＴ２２に接続されたラインＬ２０に接続された設備をモデル化したものである。
このようにモデル化される設備でタンクＴ２からタンクＴ１２へ流体が移送される場合について考える。この場合、タンクＴ２からラインＬ１（図５中の矢印ａ）、ラインＬ１からラインＬ１０（図５中の矢印ｂ）、ラインＬ１０からタンクＴ１２（図５中の矢印ｃ）という形で流体が移送されると捉える。
【００２７】
図５に示すようにモデル化された設備において、１０時１０分から１０時３０分までタンクＴ２からタンクＴ１２へ流体の移送が行われた場合、この移送履歴は図６に示すように記録される。
すなわち、払出設備Ｔ２、受入設備Ｌ１の移送開始時刻および移送終了時刻は、１０時１０分および１０時３０分と記録される。同様に、払出設備Ｌ１、受入設備Ｌ１０および払出設備Ｌ１０、受入設備Ｔ１２の移送開始時刻および移送終了時刻も、それぞれ１０時１０分および１０時３０分と記録される。
【００２８】
ここで、少なくとも、タンクＴ２から流体を払い出すポンプが１０時１０分に駆動を開始して１０時３０分に駆動を終了したことが移送情報としてサーバ２０へ送出される。この移送情報に基づいて、サーバ２０は、移送履歴を作成する。
【００２９】
なお、タンクＴ２、ラインＬ１、ラインＬ１０およびタンクＴ１２というタンクＴ２の流体をタンクＴ１２に移送するための流路を形成するのに必要な各ラインと各タンクとを中継するバルブの開閉時刻等に関する情報を移送情報としてサーバ２０に記録するようにしてもよい。この場合、バルブの信号をコントローラ３０に取り込み、自動的にサーバ２０へ移送記録を送信するようにしてもよい。また、ユーザによる手入力でサーバ２０に記録するようにしてもよい。
【００３０】
図６に示すように作成された移送履歴に基づいて、管理装置１０は、図７に示す移送イメージを作成する。
ここで、図５中の矢印ａで示すタンクＴ２からラインＬ１への流体の移送は、図７中の範囲ａに対応する。また、図５中の矢印ｂで示すラインＬ１からラインＬ１０への流体の移送は、図７中の範囲ｂに対応する。さらに、図５中の矢印ｃで示すラインＬ１０からタンクＴ１２への流体の移送は、図７中の範囲ｃに対応する。
【００３１】
図７において、タンクＴ２は、１０時１０分からラインＬ１への流体の払出を開始し、１０時３０分にラインＬ１への払出を終了したことを意味する。
ラインＬ１は、１０時１０分からタンクＴ２から払い出された流体の受け入れを開始し、１０時３０分にタンクＴ２から払い出された流体の受け入れを終了したことを意味する。また、ラインＬ１は、１０時１０分からラインＬ１０への流体の払い出しを開始し、１０時３０分にラインＬ１０への流体の払い出しを終了したことを意味する。
ラインＬ１０は、１０時１０分からラインＬ１から払い出された流体の受け入れを開始し、１０時３０分にラインＬ１から払い出された流体の受け入れを終了したことを意味する。また、ラインＬ１０は、１０時１０分からタンクＴ１２への流体の払い出しを開始し、１０時３０分にタンクＴ１２への流体の払い出しを終了したことを意味する。
タンクＴ１２は、１０時１０分からラインＬ１０から払い出された流体の受け入れを開始し、１０時３０分にラインＬ１０から払い出された流体の受け入れを終了したことを意味する。
したがって、図７からは、１０時１０分から１０時３０分までタンクＴ２から払い出された流体は、ラインＬ１およびラインＬ１０を経由して、タンクＴ１２へ移送されたことがわかる。
【００３２】
このように、複数のラインを経由して流体を移送する場合は、ラインからラインへの移送も記録する。例えば、上述した図５の場合、タンクＴ２からタンクＴ１２への流体の移送は、タンクＴ２からラインＬ１、ラインＬ１からラインＬ１０、ラインＬ１０からタンクＴ１２と３つに分けて記録される。
【００３３】
流体を受け入れる受入設備となるプロセス機器の切り替えがあった場合は、次のように移送履歴が記録される。図８は、受入設備となるタンクの切り替えがある設備をモデル化した模式図、図９は、図８の設備モデルの移送履歴の模式図、図１０は、図８の設備モデルの移送イメージの模式図である。
図８に示す設備モデルは、タンクＴ１とタンクＴ２およびタンクＴ３とがラインＬ１で接続された設備をモデル化したものである。
【００３４】
図８のようにモデル化される設備において、タンクＴ１からタンクＴ２へ流体が移送されているときに、途中から流体の受入設備がタンクＴ２からタンクＴ３へと切り替わった場合について考える。この場合、まず、タンクＴ１からラインＬ１（図８中の矢印ａ）、ラインＬ１からタンクＴ２（図８中の矢印ｂ）という形で流体が移送されると捉える。次いで、流体の移送先が切り替わる、すなわちタンクＴ１からラインＬ１（図８中の矢印ａ）、ラインＬ１からタンクＴ３（図８中の矢印ｃ）という形で流体が移送されると捉える。
【００３５】
図８に示すようにモデル化された設備において、１０時１０分から１０時２０分まではタンクＴ１からタンクＴ２へ流体の移送が行われ、１０時２０分から１０時３５分まではタンクＴ１からタンクＴ３へ流体の移送が行われた場合、移送履歴は図９に示すように記録される。
すなわち、払出設備Ｔ１、受入設備Ｌ１の移送開始時刻および移送終了時刻は、１０時１０分および１０時３５分と記録される。払出設備Ｌ１、受入設備Ｔ２の移送開始時刻および移送終了時刻は、１０時１０分および１０時２０分と記録される。払出設備Ｌ１、受入設備Ｔ３の移送開始時刻および移送終了時刻は、１０時２０分および１０時３５分と記録される。
【００３６】
ここで、少なくともタンクＴ１から流体を払い出すポンプが１０時１０分に駆動を開始して１０時３５分に駆動を終了したこと、ラインＬ１から払い出す流体の払い出し先（タンクＴ２またはタンクＴ３）を制御するバルブが１０時２０分に払い出し先がタンクＴ２からタンクＴ３に切り替わったことが移送情報としてサーバ２０に送出される。このような移送情報に基づいて、サーバ２０は、移送履歴を作成する。この移送履歴に基づいて、管理装置１０は、図１０に示すような移送イメージを作成する。
【００３７】
なお、タンクＴ１、ラインＬ１、タンクＴ２およびタンクＴ３というタンクＴ１の流体をタンクＴ２またはタンクＴ３に移送するための流路を形成するのに必要な各ラインと各タンクとを中継するバルブの開閉時刻等に関する情報を移送情報としてサーバ２０に記録するようにしてもよい。この場合、バルブの信号をコントローラ３０に取り込み、自動的にサーバ２０へ移送記録を送信するようにしてもよい。また、ユーザによる手入力でサーバ２０に記録するようにしてもよい。
【００３８】
図１０に示す移送イメージにおいて、図８中の矢印ａで示すタンクＴ１からラインＬ１への流体の移送は、範囲ａに対応する。また、図８中の矢印ｂで示すラインＬ１からタンクＴ２への流体の移送は、図１０中の範囲ｂに対応する。さらに、図８中の矢印ｃで示すラインＬ１からタンクＴ３への流体の移送は、図１０中の範囲ｃに対応する。
【００３９】
図１０において、タンクＴ１は、１０時１０分からラインＬ１への流体の払出を開始し、１０時３５分にラインＬ１への払出を終了したことを意味する。
ラインＬ１は、１０時１０分からタンクＴ１から払い出された流体の受入を開始し、１０時３５分にタンクＴ１から払い出された流体の受入を終了したことを意味する。また、ラインＬ１は、１０時１０分からタンクＴ２への流体の払出を開始し、１０時２０分にタンクＴ２への流体の払出を終了するとともにタンクＴ３への流体の払出を開始し、１０時３５分にタンクＴ３への流体の払出を終了したことを意味する。
タンクＴ２は、１０時１０分からラインＬ１から払い出された流体の受け入れを開始し、１０時２０分にラインＬ１から払い出された流体の受け入れを終了したことを意味する。
タンクＴ３は、１０時２０分からラインＬ１から払い出された流体の受け入れを開始し、１０時３５分にラインＬ１から払い出された流体の受け入れを終了したことを意味する。
【００４０】
したがって、図１０からは、１０時１０分から１０時２０分までタンクＴ１から払い出された流体は、ラインＬ１を経由して、タンクＴ２へ移送されたことがわかる。また、１０時２０分から１０時３５分まではタンクＴ１から払い出された流体は、ラインＬ１を経由して、タンクＴ３へ移送されたことがわかる。
【００４１】
このように、流体を払い出すプロセス機器の切り替えがある場合は、プロセス機器からライン、ラインから第１のプロセス機器、ラインから第２のプロセス機器というように、払い出し先のプロセス機器を切り替えて記録する。
【００４２】
次に、複数のラインを経由し、かつ、流体の払出先のプロセス機器が切り替わる場合は、次のように移送履歴が記録される。図１１は、複数のラインを経由し、かつ、払い出し先タンクの切り替えがある設備をモデル化した模式図、図１２は、図１１の設備モデルの移送履歴の模式図、図１３は、図１１の設備モデルの移送イメージの模式図である。
図１１に示す設備モデルは、図５の場合と同様、タンクＴ１とタンクＴ２とに接続されたラインＬ１が、タンクＴ１１とタンクＴ１２に接続されたラインＬ１０およびタンクＴ２１とタンクＴ２２に接続されたラインＬ２０に接続された設備をモデル化したものである。
このようにモデル化される設備でタンクＴ２からタンクＴ１２へ流体が移送されているときに、途中からタンクＴ１２からタンクＴ２２へと流体の移送先が切り替わった場合について考える。この場合、まず、タンクＴ２からラインＬ１（図１１中の矢印ａ）、ラインＬ１からラインＬ１０（図１１中の矢印ｂ）、ラインＬ１０からタンクＴ１２（図１１中の矢印ｃ）という形で流体が移送されると捉える。次いで、流体の移送が切り替わる、すなわちタンクＴ２からラインＬ１（図１１中の矢印ａ）、ラインＬ１からラインＬ２０（図１１中の矢印ｄ）、ラインＬ２０からタンクＴ２２（図１１中の矢印ｅ）という形で流体が移送されると捉える。
【００４３】
図１１に示すようにモデル化された設備において、１０時１０分から１０時３０分まではタンクＴ２からタンクＴ１２へ流体の移送が行われ、１０時３０分から１０時４５分まではタンクＴ２からタンクＴ２２へ流体の移送が行われた場合、この移送履歴は図１２に示すように記録される。
すなわち、払出設備Ｔ２、受入設備Ｌ１の移送開始時刻および移送終了時刻は、１０時１０分および１０時４５分と記録される。払出設備Ｌ１、受入設備Ｌ１０の移送開始時刻および移送終了時刻は、１０時１０分および１０時３０分と記録される。払出設備Ｌ１、受入設備Ｌ２０の移送開始時刻および移送終了時刻は、１０時３０分および１０時４５分と記録される。払出設備Ｌ１０、受入設備Ｔ１２の移送開始時刻および移送終了時刻は、１０時１０分および１０時３０分と記録される。払出設備Ｌ２０、受入設備Ｔ２２の移送開始時刻および移送終了時刻は、１０時３０分および１０時４５分と記録される。
【００４４】
ここで、少なくともタンクＴ２から流体を払い出すポンプが１０時１０分に駆動を開始して１０時４５分に駆動を終了したこと、ラインＬ１から払い出す流体の払い出し先（ラインＬ１０またはラインＬ２０）を制御するバルブが１０時３０分に払い出し先がラインＬ１０からラインＬ２０に切り替わったことが移送情報としてサーバ２０に送出される。このような移送情報に基づいて、サーバ２０は、移送履歴を作成する。この移送履歴に基づいて、管理装置１０は、図１３に示すような移送イメージを作成する。
【００４５】
なお、タンクＴ２、ラインＬ１、ラインＬ１０、ラインＬ２０、タンクＴ１２およびタンクＴ２２というタンクＴ２の流体をタンクＴ１２またはタンクＴ２２に移送するための流路を形成するのに必要な各ラインと各タンクとを中継するバルブの開閉時刻等に関する情報を移送情報としてサーバ２０に記録するようにしてもよい。この場合、バルブの信号をコントローラ３０に取り込み、自動的にサーバ２０へ移送記録を送信するようにしてもよい。また、ユーザによる手入力でサーバ２０に記録するようにしてもよい。
【００４６】
図１３に示す移送イメージにおいて、図１１中の矢印ａで示すタンクＴ２からラインＬ１への流体の移送は、範囲ａに対応する。また、図１１中の矢印ｂで示すラインＬ２からラインＬ１０への流体の移送は、図１３中の範囲ｂに対応する。また、図１１中の矢印ｃで示すラインＬ１０からタンクＴ１２への流体の移送は、図１３中の範囲ｃに対応する。また、図１１中の矢印ｄで示すラインＬ１からラインＬ２０への流体の移送は、図１３中の範囲ｄに対応する。また、図１１中の矢印ｅで示すラインＬ２０からタンクＴ２２への流体の移送は、図１３中の範囲ｅに対応する。
【００４７】
図１３において、タンクＴ２は、１０時１０分からラインＬ１への流体の払出を開始し、１０時４５分にラインＬ１への払出を終了したことを意味する。
ラインＬ１は、１０時１０分からタンクＴ２から払い出された流体の受入を開始し、１０時４５分にタンクＴ２から払い出された流体の受入を終了したことを意味する。また、ラインＬ１は、１０時１０分からラインＬ１０への流体の払出を開始し、１０時３０分にラインＬ１０への流体の払出を終了するとともにラインＬ２０への流体の払出を開始し、１０時４５分にラインＬ２０への流体の払出を終了したことを意味する。
ラインＬ１０は、１０時１０分からラインＬ１から払い出された流体の受入を開始し、１０時３０分にラインＬ１から払い出された流体の受入を終了したことを意味する。また、ラインＬ１０は、１０時１０分からタンクＴ１２への流体の払い出しを開始し、１０時３０分にタンクＴ１２への流体の払い出しを終了したことを意味する。
タンクＴ１２は、１０時１０分からラインＬ１０から払い出された流体の受け入れを開始し、１０時３０分にラインＬ１０から払い出された流体の受け入れを終了したことを意味する。
ラインＬ２０は、１０時３０分からラインＬ１から払い出された流体の受入を開始し、１０時４５分にラインＬ１から払い出された流体の受入を終了したことを意味する。また、ラインＬ２０は、１０時３０分からタンクＴ２２への流体の払い出しを開始し、１０時４５分にタンクＴ２２への流体の払い出しを終了したことを意味する。
タンクＴ２２は、１０時３０分からラインＬ２０から払い出された流体の受け入れを開始し、１０時４５分にラインＬ２０から払い出された流体の受け入れを終了したことを意味する。
【００４８】
したがって、図１３からは、１０時１０分から１０時３０分までタンクＴ２から払い出された流体は、ラインＬ１およびラインＬ１０を経由して、タンクＴ１２へ移送されたことがわかる。また、１０時３０分から１０時４５分までタンクＴ２から払い出された流体は、ラインＬ１およびラインＬ２０を経由して、タンクＴ２２へ移送されたことがわかる。
【００４９】
このように、複数のラインを経由し、かつ、流体の払い出し先のプロセス機器が切り替わる場合は、ラインからラインへの移送を記録するとともに、ラインからラインへの移送および受入設備となるプロセス機器を切り替えて記録する。
【００５０】
上述したように、本実施の形態によれば、移送イメージは、流体を払い出す払出設備と、この払出設備から払い出された流体を受け入れる受入設備との間の流体の移送を、縦軸が払出設備と移送先設備との対応関係、横軸が時間を示すグラフで２次元的に可視化する。これにより、流体のようなＩＤを付与することが困難なものでも、ＩＤを付与することなく、どのような処理工程を経ているのかが一目瞭然である。このような移送イメージは、移送履歴、すなわち払出設備から受入設備への流体の移送を開始した時刻に関する移送開始時刻と、払出設備から受入設備への流体の移送を終了した時刻に関する移送終了時刻とに基づいて作成される。したがって、流体の処理の履歴を、受入時間と払出時間を記録するだけで、容易に管理することが可能となる。
【図面の簡単な説明】
【００５１】
【図１】本発明の履歴管理方法を適用した履歴管理システムの構成を示す図である。
【図２】設備モデルの１構成例を示す模式図である。
【図３】図２の設備モデルの移送履歴の模式図である。
【図４】図２の設備モデルの移送イメージの模式図である。
【図５】複数のラインを経由して流体の移送を行う設備モデルの１構成例を示す模式図である。
【図６】図５の設備モデルの移送履歴の模式図である。
【図７】図５の設備モデルの移送イメージの模式図である。
【図８】受入設備となるタンクの切り替えがある設備モデルの１構成例を示す模式図である。
【図９】図８の設備モデルの移送履歴の模式図である。
【図１０】図８の設備モデルの移送イメージの模式図である。
【図１１】複数のラインを経由し、かつ、払い出し先タンクの切り替えがある設備モデルの１構成例を示す模式図である。
【図１２】図１１の設備モデルの移送履歴の模式図である。
【図１３】図１１の設備モデルの移送イメージの模式図である。
【符号の説明】
【００５２】
１…履歴管理システム、１０…管理装置、２０…サーバ、３０…コントローラ、４０…通信回線、Ｔ１，Ｔ２，Ｔ３，Ｔ１１，Ｔ１２，Ｔ２１，Ｔ２２…タンク、Ｌ１,Ｌ２,Ｌ１０,Ｌ２０…ライン。
【図１】
2005293185.tif 000003
【図２】
2005293185.tif 000004
【図３】
2005293185.tif 000005
【図４】
2005293185.tif 000006
【図５】
2005293185.tif 000007
【図６】
2005293185.tif 000008
【図７】
2005293185.tif 000009
【図８】
2005293185.tif 000010
【図９】
2005293185.tif 000011
【図１０】
2005293185.tif 000012
【図１１】
2005293185.tif 000013
【図１２】
2005293185.tif 000014
【図１３】
2005293185.tif 000015